(57)【要約】【課題】ケトル本体をテーブル等の載置面上に載置した状態で、ケトル本体を持ち上げることなく回転が可能であるとともに、給電・受電機構の寿命を十分長く保つことができる電気ケトルを得る。【解決手段】  ケトル本体３の底面に、本体ボディ７に対して、本体ボディ７の上下軸周りに回転可能な接地用回転体２１を備え、ケトル本体３を電源プレート２に載置した給電姿勢において、接地用回転体２１を介する電源プレート２上での本体ボディ７の回転が阻止される離間状態に維持され、ケトル本体３を、単独で載置面上に載置した載置姿勢において、接地用回転体２１が載置面に接触し、本体ボディ７が載置面上で回転可能な構成とする。【選択図】図７
2010057568.tif 000002
【特許請求の範囲】
【請求項１】
電源プレートと、前記電源プレート上に載置された状態で電力の供給を受けて湯を生成するケトル本体とを備えて構成され、
前記ケトル本体に、本体内の水を加熱する加熱機構、当該加熱機構を始動する始動スイッチを備えるとともに、加熱完了を検知して前記加熱機構による加熱を停止する停止機構を備え、
前記電源プレートに給電機構を、前記ケトル本体に受電機構を備えた電気ケトルであって、
前記ケトル本体の底面に、本体ボディに対して、本体ボディの上下軸周りに回転可能な接地用回転体を備え、
前記ケトル本体を前記電源プレートに載置した給電姿勢において、前記接地用回転体を介する前記電源プレート上での前記本体ボディの回転が阻止される離間状態に維持され、
前記ケトル本体を、単独で載置面上に載置した載置姿勢において、前記接地用回転体が前記載置面に接触し、前記本体ボディが前記載置面上で回転可能な電気ケトル。
【請求項２】
前記ケトル本体を前記電源プレートに載置した給電姿勢において前記電源プレートのプレート側当接部に当接する本体側当接部を、前記本体ボディに設け、
前記給電姿勢における前記プレート側当接部と本体側当接部との当接位置が、前記給電姿勢における前記接地用回転体の下端位置より高い位置にある請求項１記載の電気ケトル。
【請求項３】
前記ケトル本体を前記電源プレートに載置した給電姿勢において前記電源プレートのプレート側当接部に当接する本体側当接部を、前記本体ボディに設け、
前記給電姿勢における前記プレート側当接部と本体側当接部とが、前記給電姿勢における前記接地用回転体より本体ボディ中心側にある請求項１又は２に記載の電気ケトル。
【請求項４】
前記プレート側当接部が電源プレートの上面に設けられる凸部である請求項２又は３記載の電気ケトル。
【請求項５】
前記ケトル本体を前記電源プレートに載置した給電姿勢において前記電源プレートのプレート側当接部に当接する本体側当接部を、前記本体ボディに設け、
前記給電姿勢における前記プレート側当接部と本体側当接部とが、前記給電姿勢における前記接地用回転体より本体ボディ外周側にある請求項１又は２に記載の電気ケトル。
【請求項６】
前記プレート側当接部が電源プレートの上面に設けられる凸部として構成されるとともに、電源プレートの上下方向軸周りで、周方向に分散して設けられている請求項５記載の電気ケトル。
【請求項７】
前記給電機構が前記電源プレートの上面から突出して形成されるとともに、前記受電機構が前記ケトル本体の底面から引退して形成され、
前記凸部の上端位置が、前記給電機構の上端位置に対して下側に位置される請求項４又は６記載の電気ケトル。
【発明の詳細な説明】
【技術分野】
【０００１】
本発明は、電源プレートと、この電源プレート上に載置された状態で電力の供給を受けて湯を生成するケトル本体とを備えて構成され、
ケトル本体に、本体内の水を加熱する加熱機構、当該加熱機構を始動する始動スイッチを備えるとともに、加熱完了を検知して、加熱機構による加熱を停止する停止機構を備え、電源プレートに給電機構を、前記ケトル本体に受電機構を備えた電気ケトルに関する。
【背景技術】
【０００２】
この種の電気ケトルは、「欲しい時に、欲しい分だけ」というキャッチフレーズのもとに、現在販売されているものであり、電源プレートと、その電源プレートから電力の供給を受けて、ケトル本体に注がれた水を加熱する加熱機構を備えている。加熱により得られる湯は、ケトル本体を電源プレートから持ち上げ、ケトル本体を傾けることで注口から取り出すことができる。
【０００３】
この種の電気ケトルは、加熱完了の検知に関しては、例えば、湯から発生する蒸気を検知部に導き、その蒸気を検知することで、加熱を停止する構成とされている。従って、実際に蒸気が発生している沸騰状態を、簡易な構成で、正確かつ確実に検知して、「欲しい時に、欲しい分だけ」湯を供給できる。この種の電気ケトルは、今日、一般に広く販売されているものではあるが、具体的な出願例は、未だ公開例は少なく、その先行技術を文献で示すことはできない。
【発明の開示】
【発明が解決しようとする課題】
【０００４】
今日、販売されている電気ケトルのケトル本体に関して、ケトル本体の主要部材を成す本体ボディは、上部側に注口を、この注口のケトル本体横断方向反対側にハンドルを備えている。ケトル本体の下部には、電源プレートの給電機構から受電するための受電機構を備え、本体内の水を加熱する加熱機構、生成される湯から発生する蒸気を検知して、加熱機構による加熱を停止する停止機構を備えている。
本体ボディは、概略的には、上側開放の容器形状をしており、その底は本体ボディのみから構成され、稼動部を有せず、例えば、ケトル本体が単独でテーブル（載置面の一例）上に載置された場合に、ケトル本体の方向を変更したい場合、摩擦抵抗に抗して回転させるか、抵抗が大きいため、一度持ち上げる必要があった。
【０００５】
このような問題を解決するためには、ケトル本体を成す本体ボディの底に、電気ケトルの上下方向中心軸まわりに回転する回転体を取付ればよい。しかし、このような構成を採用すると、ケトル本体を電源プレート上に載置した状態（給電姿勢）において、電源プレートに対してケトル本体が容易に回転してしまい、給電機構及び受電機構を成す部材間において、相対摺動が頻繁に且つ容易に発生してしまい、摩擦等により両機構の寿命を短くする等の問題が発生する。
従って、本発明の目的は、ケトル本体をテーブル等の載置面上に載置した状態で、ケトル本体を持ち上げることなく回転が可能であるとともに、給電・受電機構の寿命を十分長く保つことができる電気ケトルを得ることにある。
【課題を解決するための手段】
【０００６】
上記目的を達成するための本発明に係る
電源プレートと、前記電源プレート上に載置された状態で電力の供給を受けて湯を生成するケトル本体とを備えて構成され、
前記ケトル本体に、本体内の水を加熱する加熱機構、当該加熱機構を始動する始動スイッチを備えるとともに、加熱完了を検知して、前記加熱機構による加熱を停止する停止機構を備え、
前記電源プレートに給電機構を、前記ケトル本体に受電機構を備えた電気ケトルの特徴構成は、
前記ケトル本体の底面に、本体ボディに対して、本体ボディの上下軸周りに回転可能な接地用回転体を備え、
前記ケトル本体を前記電源プレートに載置した給電姿勢において、前記接地用回転体を介する前記電源プレート上での前記本体ボディの回転が阻止される離間状態に維持され、
前記ケトル本体を、単独で載置面上に載置した載置姿勢において、前記接地用回転体が前記載置面に接触し、前記本体ボディが前記載置面上で回転可能とされていることにある。
【０００７】
この電気ケトルでは、その載置姿勢においては、接地用回転体が載置面と接触するため、本体ボディの回転が可能となる。即ち、例えばテーブル上にケトル本体を置いた状態では、ケトル本体の方向を自由に変えることができる。
一方、給電姿勢においては、前記接地用回転体を介する前記電源プレート上での前記本体ボディの回転が阻止される離間状態に維持されるため、本体ボディが電源プレートに接触することとなり、容易に回転することは避けられる。結果、給電機構・受電機構の寿命を長く維持しながら、使い勝手のよい電気ケトルを得ることができる。
ここで、離間状態の例としては、後述する第１実施形態、第２実施形態に示すような、給電姿勢において接地用回転体が電源プレートから離間した状態、或いは図１５に示すような、給電姿勢において接地用回転体が電源プレートとは接触するが、当該接地用回転体が本体ボディとの関係で、上下方向で離間した状態を挙げることができる。
【０００８】
上記の構成を実現するには、具体的には、
前記ケトル本体を前記電源プレートに載置した給電姿勢において前記電源プレートのプレート側当接部に当接する本体側当接部を、前記本体ボディに設け、
前記給電姿勢における前記プレート側当接部と本体側当接部との当接位置が、前記給電姿勢における前記接地用回転体の下端位置より高い位置に位置されることで、上記の機能を容易に実現できる。
【０００９】
このようなプレート側当接部と本体側当接部を設けるに当たり、
前記給電姿勢における前記プレート側当接部と本体側当接部とが、前記給電姿勢における前記接地用回転体より本体ボディ中心側にあることが好ましい。
この構成では、接地用回転体に対して、プレート側当接部と本体側当接部とを本体ボディの中心側に設けるのであるが、プレート側当接部は電源プレートより一段上がった凸部（凸状段部）とすることが可能となる。
本願のような電気ケトルでは、沸騰検知のために蒸気がケトル本体の底側に導かれ、その底側で、蒸気がケトル本体から外気に放出される。このような蒸気が、給電機構、受電機構が位置する本体ボディ中心側に移動するのを阻止することが必要とされるが、プレート側当接部を設置用回転体より中心側に設けることによって、プレート側当接部に蒸気の阻止機能を待たせることが可能となる。
【００１０】
このように、プレート側当接部と本体側当接部とを本体ボディの中心側に設ける構成にあっては、プレート側当接部を電源プレートの上面に設けられる凸部として構成できる。このような凸部としては、後述する図６に示すような上面視円盤状の凸状段部としてもよいし、図１３に示すように周方向に分散して設けられる突出部としてもよい。
【００１１】
一方、前記給電姿勢における前記プレート側当接部と本体側当接部とが、前記給電姿勢における前記接地用回転体より本体ボディ外周側にある構成を採用してもよい。
この構成にあっては、給電姿勢におけるケトル本体の姿勢保持を外周側から良好に行える。
一方、プレート側当接部と本体側当接部とを、接地用回転体より本体ボディ外周側に設ける構成では、前記プレート側当接部が電源プレートの上面に設けられる凸部として構成されるとともに、電源プレートの上下方向軸周りで、周方向に分散して設けられていることが好ましい。
先にも示したように、本願のような電気ケトルでは、沸騰検知のために蒸気がケトル本体の底側に導かれ、その底側で、蒸気がケトル本体から外気に放出される。このような蒸気が、両当接部と接地用回転体との間に侵入して結露した場合、その排出が問題となるが、凸部を、電源プレートの上下方向軸周りで周方向に分散して設ける構成（例えば周方向で３ヶ所設ける構成）を採用することで、結露水の外周側への導出を容易に実現できる。また、気流の流れが発生し易いため、結露自体を抑制できる。
【００１２】
以上説明してきたように、電気ケトルの場合、前記給電機構が前記電源プレートの上面から突出して形成されるとともに、前記受電機構が前記ケトル本体の底面から引退して形成されるが、この構成で、プレート側当接部として構成される電源プレートの上面に設けられる前記凸部の上端位置を、前記給電機構の上端位置に対して下側に位置される構成とすることで、給電機構が受電機構内に侵入して給電する、従来の機構構成を踏襲しながら、本願の目的を達成できる。
【発明を実施するための最良の形態】
【００１３】
本発明の実施の形態について、図面に基づいて説明する。
図１は、本願に係る電気ケトル１の外観視図であり、図２は、その使用状態を示す図であり、図３、図４は、その内部構造を示す図である。ここで、図３は、給湯操作ボタン１４が押圧されず、ケトル本体３を傾けても給湯できない状態を示しており、図４は、給湯操作ボタン１４が押圧され、給湯できる状態を示している。さらに、図５は、ケトル本体
３の底面視図である。図６から図１０は、先に説明する第１実施形態の本願に係る電気ケトル１の特徴構成を説明するための詳細図である。
【００１４】
電気ケトル１は、電源プレート２とケトル本体３から構成されている。
電源プレート２は、外形円形のプレートとして構成されており、その上面の中心側に給電機構４を備えている。その下面は電源ケーブル５の収納部となっている。使用時には、電源プレート２の下面から電源ケーブル５を引き出し、コンセント(図外)に接続することで、給電機構４を介して、ケトル本体３に給電可能となる。
給電機構４は、電源プレート２の中心側位置に、その上面より突出して形成されており、この給電機構４の外観形状は概略円柱状となっている。給電機構４は、中心穴４ａと、その中心穴４ａと同心に設けられる環状穴４ｂとを備え、これら穴４ａ，４ｂに設けられる電極部（給電用）と、給電機構４の円柱状外周部位の周方向一部に設けられる検知用電極４ｃとを備えている。この検知用電極４ｃは、電源プレート２とケトル本体３とが給電姿勢にあることを検知する。
電源プレート２上にケトル本体３が載置された給電状態（給電姿勢）においては、図３、図７に示すように、給電機構２がケトル本体３内に嵌り込み、ケトル本体３に設けられる受電機構１７を介して給電が可能となる。
【００１５】
ケトル本体３は、上側開放の概略容器形状に構成される本体ボディ７と、その開口を覆う蓋体８とを主な部材として構成されている。この蓋体８は、ケトル本体３の上部、本体横断方向の一端に設けられた揺動軸８ａ周りに揺動自在に構成されており、蓋体８を上側に揺動させて蓋を開放した状態で、本体ボディ７内に注水することが可能となる。一方、蓋体８が本体ボディ７の開口を閉止した状態で、湯の加熱が可能となっている。
【００１６】
図１〜図３に示すように、ケトル本体３には、その上部側に注口９を、この注口９のケトル本体横断方向反対側にハンドル１０を備えている。さらに、注口９とハンドル１０との間に、注口９側から、蓋体８の開閉のための蓋体開閉操作部１１を備えるとともに、蒸気口１２を備えている。
【００１７】
注口９の内部側には給湯制御用の弁１３が設けられており、この弁１３が、給湯操作ボタン１４の操作状況に応じて、上下方向に移動制御されることで、ケトル本体３を傾けても、給湯操作ボタン１４が押し込み姿勢に無い限り、注口９から湯がでることがないように構成されている。図３に示す給湯操作ボタン１４の突出姿勢では、湯が出ることはない。一方、図４に示す給湯操作ボタン１４の引退姿勢では、給湯が可能である。
【００１８】
ケトル本体３の下部、ハンドル１０の下側には加熱操作スイッチ１５（始動スイッチの一例）が備えられ、この加熱操作スイッチ１５を下側に押下げ操作することで、加熱機構１６による加熱を開始することができる。図３に示すように、加熱操作スイッチ１５が上側位置を取る待機姿勢で、加熱開始操作を待機する。一方、図７において、一点鎖線で示す加熱操作スイッチ１５が下側位置を取る加熱維持姿勢で、加熱を継続する。
加熱機構１６は、受電機構から電気の供給を受ける電気ヒータから構成されており、電気ヒータは、ケトル本体の下部に円周状を成して配置されている。
【００１９】
図３、図５、図６に示すように受電機構１７は、ケトル本体３の中心側位置に、その底面から引退して形成されており、この受電機構１７も、その外観形状は概略円柱状となっている。受電機構１７は、中心ガイドピン１７ａと、その中心ガイドピン１７ａと同心に設けられる内径側環状電極１７ｂと、さらに外径側に設けられる外径側環状電極１７ｃとを備えている。これら３つの電極は、受電用の一対の電極と受電姿勢検知用の電極である。
先にも説明したように、電源プレート２上にケトル本体３が載置された給電状態（給電姿勢）においては、給電機構４がケトル本体３内に嵌り込み、互いの電極が電気的に接続されて受電が可能となる。
【００２０】
図６、図７に示すように、前記受電機構１７と前記加熱操作スイッチ１５とは、電気ケトル１において広く使用されている連動ユニット１８で連結されている。この連動ユニット１８の構成を説明すると、ケトル本体３側に受電機構１７を備えるとともに、この受電機構１７と一体に外周方向に延びる固定腕部１８ｂを備えたユニット本体１８ａと、その腕部１８ｂの上部側に設けられ、ユニット本体１８ａに対して上下方向に揺動自在な揺動腕部１８ｃとを備えて構成されている。
【００２１】
前記固定腕部１８ｂの外周側端には、ケトル本体上部から導かれる蒸気検知具１９（具体的には蒸気感応板からなり、蒸気に感応して変形する）が備えられている。前記揺動腕部１８ｃの先端は、先に説明した加熱操作スイッチ１５が連結されている。
ケトル本体３に設けられる受電機構１７が、電源プレート２に設けられる給電機構４から電気の供給を受けられる状態で、且つ、蒸気検知具１９が蒸気を検知していない状態で、加熱操作スイッチ１５は、図７で実線で示すその待機姿勢に保たれる。図７で一点鎖線で示すように、加熱操作スイッチ１５が押し下げ操作されると、前記揺動腕部１８ｃは下方に揺動され加熱維持姿勢に維持されるとともに、加熱機構１６への給電を行う。従って、水の加熱が開始される。
加熱によりケトル本体３内の水が沸騰すると、その湯から発生する蒸気がケトル本体側部に設けられる蒸気路２０を介して蒸気検知具１９に到達し、この蒸気検知具１９の蒸気検知に伴って、下方に揺動姿勢保持されていた前記揺動腕部１８ｃの姿勢保持が解除され、上方に揺動復帰されるとともに、加熱機構１６への給電が停止される。同時に、加熱操作スイッチ１５は、加熱維持姿勢から待機姿勢に復帰する。図５において、７ｂが蒸気の外気への放出口である。
【００２２】
従って、連動ユニット１８は、受電機構１７と連動して、生成される湯から発生する蒸気を検知して、加熱機構１６による加熱を停止する停止機構として働く。
【００２３】
以上が本願に係る電気ケトル１の構成であるが、以下、この電気ケトル１に採用している特徴構成について説明する。
〔第１実施形態〕
図６、図７に、この実施形態の電源プレート２及びケトル本体３の下部を示した。図６は給電姿勢に至る前の状態を、図７は給電姿勢での状態を示している。さらに、図８は、電源プレート２の上面視図である。
これら図から判明するように、本願に係る電気ケトル１には、ケトル本体３の底に、本体ボディ７に対して、本体ボディ７の上下軸周りに回転可能な接地用回転体２１が備えられている。この接地用回転体２１は、本体ボディ７の底面に穿たれたリング状凹部７ａに挿入して配設されるとともに、接地用回転体２１の上部に内径側に延びる突起部２１ａを設け、この突起部２１ａの本体ボディ７からの離脱を防止する離脱防止リング２２を本体ボディ７側に設けることで、接地用回転体２１の自由な回転を許容しながら、離脱を防止する構成としている。この例では、上下方向で接地用回転体２１は本体ボディ７に接触している。両者は、この接触状態で相対回転可能である。
結果、ケトル本体３を、単独でテーブル等の載置面上に載置した載置姿勢において、接地用回転体２１が載置面に接触し、本体ボディ７が載置面上で回転可能である。即ち、ケトル本体３の回転を持ち上げることなく行うことができる。
【００２４】
一方、ケトル本体３を電源プレート２に載置した給電姿勢において、接地用回転体２１が電源プレート２から離間する離間状態に維持されるように構成されている。即ち、ケトル本体３を電源プレート２に載置した給電姿勢において電源プレート２のプレート側当接部２３に当接する本体側当接部２４を、本体ボディ７に設けている。両当接部（プレート側当接部２３及び本体側当接部２４）が当接する給電姿勢では、上記の接地用回転体２１は電源プレート２に当接することはない。従って、給電姿勢において、電源プレート２に対してケトル本体３が容易に回転することはない。
【００２５】
図６、図７に示す例は、プレート側当接部２３が電源プレート２の上面に設けられる円盤状の凸部（凸状段部）として形成されており、給電姿勢におけるプレート側当接部２３と本体側当接部２４とを、給電姿勢における接地用回転体２１より本体ボディ中心側に設け、さらに、給電姿勢におけるプレート側当接部２３と本体側当接部２４との当接位置が、給電姿勢における接地用回転体２１の下端位置より高い位置にある例である。
また、この例では、前記円盤状凸部の上端位置Ｐ１が、給電機構４の上端位置Ｐ２に対して下側に位置される構成となっている。
結果、上記のように、給電姿勢において、両当接部（プレート側当接部２３及び本体側当接部２４）が当接するとともに、接地用回転体２１は電源プレート２に当接することはなく、給電姿勢において、電源プレート２に対してケトル本体３が容易に回転することはない。
【００２６】
さて、図８に示すように、電源プレート２の底には周方向に３ケ所、接地してテーブル表面との接地を安定させる座ゴム３０を配設して設けている。図９、図１０は、座ゴム３０近傍の状態を示す縦断面図及び底面視図であり、図９は座ゴム３０の装着状況を示す図であり、図１０は、（ａ）に座ゴム収納溝３２のみの底面視図を、（ｂ）に、座ゴム３０が装着された状態での底面視図を示している。
座ゴム３０は電源プレート本体に設けられた凹状溝である座ゴム収納溝３２に圧入されるが、この座ゴム３０の離脱を防止するために、本願に係る電源プレート２は、座ゴム収納溝３２及び座ゴム３０の形状に独特の構成が採用されている。
【００２７】
座ゴム収納溝３２は、概略円柱状の溝として構成され、その天部周方向３ヶ所に、座ゴム３０の更なる侵入を防止する天部突起３２ａが設けられるとともに、その上下軸方向中間位置に、同じく周方向３ヶ所、座ゴム３０の抜けを防止するかえり部３２ｂが設けられている。このかえり部３２ｂは、概略三角錘状とされており、その上面が溝径方向に延びる止め面３３とされるとともに、下面が上側に向かうに従って内径方向に延びる傾斜面３４とされている。従って、このかえり部３２ｂを超えて一端押し込まれた座ゴム３０は、底側への引っ張りに対して、不測に抜け落ちることはない。
【００２８】
一方、座ゴム３０の底面形状に関しても工夫がされており、図９、図１０（ｂ）に示すように、下側先端が十字状の突起部３５として構成されている。結果、座ゴム３０とテーブルとの接触面積を低下することが可能となり、座ゴム３０のテーブル表面への吸着を防止し、不測の抜け落ちを防止することができる。この種の座ゴム３０の下側先端形状としては、星状としても先端球状としてもよい。
【００２９】
〔第２実施形態〕
図１１から図１３に第２実施形態の電源プレート２及びケトル本体３の下部を示した。図１１、図１２、図１３は、それぞれ先の実施形態の図７、図８、図９に対応している。
この例でも、両図から判明するように、本願に係る電気ケトル１には、ケトル本体３の底に、本体ボディ７に対して、本体ボディ７の上下軸周りに回転可能な接地用回転体２１が備えられている。結果、ケトル本体３を、単独でテーブル等の載置面上に載置した載置姿勢において、接地用回転体２１が載置面に接触し、本体ボディ７が載置面上で回転可能である。即ち、ケトル本体３の回転を持ち上げることなく行うことができる。
【００３０】
一方、ケトル本体３を電源プレート２に載置した給電姿勢において、接地用回転体２１が電源プレート２から離間する離間状態に維持されるように構成されている。即ち、ケトル本体３を電源プレート２に載置した給電姿勢において電源プレート２のプレート側当接部２３ａに当接する本体側当接部２４を、本体ボディ７に設けている。
【００３１】
この例では、プレート側当接部２３ａが電源プレート２の上面に設けられる周方向で相互に離間して設けられる凸部として形成されており、給電姿勢におけるプレート側当接部２３ａと本体側当接部２４とを、給電姿勢における接地用回転体２１より本体ボディ外周側に設けている。このように分散して設けるのは、両当接部２３ａ，２４を接地用回転体２１より本体ボディ外周側に設ける場合、周方向で周回する円盤状凸部を形成すると、給電機構４とリング状凸部との間に結露水が溜まる等の問題が発生するためである。
【００３２】
この例でも、給電姿勢におけるプレート側当接部２３ａと本体側当接部２４との当接位置は、給電姿勢における接地用回転体２１の下端位置より高い位置とされている。また、この例でも、前記リング状凸部の上端位置Ｐ１が、給電機構４の上端位置Ｐ２に対して下側に位置される構成となっている。
結果、この例でも、給電姿勢において、両当接部（プレート側当接部２３ａ及び本体側当接部２４）が当接するとともに、接地用回転体２１は電源プレート２に当接することはなく、給電姿勢において、電源プレート２に対してケトル本体３が容易に回転することはない。
【００３３】
〔別実施形態〕
（イ）  上記の第１実施形態においては、プレート側当接部２３と本体側当接部２４との両当接部を設けるのに、接地用回転体の直近傍内径側に両当接部を設けたが、接地用回転体の位置より給電機構側に比較的離間した状態で両当接部を設けてもよい。図１４は、このような構成例を示した図である。この場合、本願における当接部の機能（給電姿勢において接地用回転体を電源プレートから離間させる機能）と、蒸気が給電機構へ侵入するのを防止する機能とを、給電機構側で有効に兼ねられる。
（ロ）これまで説明してきた実施形態にあっては、離間状態の例として、給電姿勢において、接地用回転体が電源プレートから離間した状態について説明したが、給電姿勢において、接地用回転体２１が電源プレート２とは接触するが、当該接地用回転体２１が本体ボディ７との関係で、上下方向で離間した状態とされる構成を採用してもよい。図１５に、この別実施形態の例で示した。（ａ）は、給電姿勢に入る前の状態を示しており、（ｂ）は、給電姿勢における各部材の位置関係を示しており、（ｃ）は、載置姿勢における各部材の位置関係を示している。
この例では、（ｂ）に示す給電姿勢においては、上下方向で、接地用回転体２１は、電源プレート２には接触しているが、本体ボディ７に設けられている突起２５には接触していない。本体ボディ７は、プレート側当接部２３及び本体側当接部２４により上下方向で支持されている。従って、この姿勢では、接地用回転体２１を介する電源プレート２上での本体ボディ７の回転は阻止される。一方、（ｃ）に示す載置姿勢においては、上下方向で、接地用回転体２１は、（ａ），（ｂ）に示す位置関係より上方に移動し、載置面（例えばテーブル表面）及び本体ボディ７に設けられている突起２５の両方に接触する。結果、この姿勢では、接地用回転体２１を介して載置面（テーブル）上で本体ボディ７は容易に回転できる。
（ハ）  これまで説明してきた実施形態では、沸騰状態を検知して加熱完了状態を検知するものとしたが、湯水の温度を直に検知したり、予測検知したりして、加熱完了を検知し、停止機構を働かせるものとしてもよい。
【産業上の利用可能性】
【００３４】
以上説明したように、ケトル本体をテーブル等の載置面上に載置した状態で、ケトル本体を持ち上げることなく回転が可能であるとともに、給電・受電機構の寿命を十分長く保つことができる電気ケトルを得ることができた。
【図面の簡単な説明】
【００３５】
【図１】電気ケトルの外観を示す図
【図２】使用状態にある電気ケトルの状態を示す図
【図３】給湯操作ボタンが押圧されていない状態での電気ケトルの縦断面図
【図４】給湯操作ボタンが押圧された状態での電気ケトルの縦断面図
【図５】ケトル本体の底面視図
【図６】給電姿勢への移行段階における電気ケトル下部の状態を示す図
【図７】給電姿勢での電気ケトル下部の状態を示す図
【図８】座ゴムの配置関係を示す電源プレートの上面視図
【図９】座ゴム近傍の縦断面図
【図１０】座ゴム収納溝および座ゴムを収納した状態での底面視図
【図１１】第２実施形態の給電姿勢への移行段階における電気ケトル下部の状態を示す図
【図１２】第２実施形態の給電姿勢での電気ケトル下部の状態を示す図
【図１３】第２実施形態の電源プレートの上面視図
【図１４】プレート側当接部と本体側当接部を第１実施形態より給電機構側に設けた図
【図１５】接地用回転体の別構成例を示す図
【符号の説明】
【００３６】
１    電気ケトル
２    電源プレート
３    ケトル本体
４    給電機構
７    本体ボディ
８    蓋体
９    注口
１０  ハンドル
１５  加熱操作スイッチ
１６  加熱機構
１７  受電機構
１９  蒸気検知具
２１  接地用回転体
２３  プレート側当接部
２４  本体側当接部
【図１】
2010057568.tif 000003
【図２】
2010057568.tif 000004
【図３】
2010057568.tif 000005
【図４】
2010057568.tif 000006
【図５】
2010057568.tif 000007
【図６】
2010057568.tif 000008
【図７】
2010057568.tif 000009
【図８】
2010057568.tif 000010
【図９】
2010057568.tif 000011
【図１０】
2010057568.tif 000012
【図１１】
2010057568.tif 000013
【図１２】
2010057568.tif 000014
【図１３】
2010057568.tif 000015
【図１４】
2010057568.tif 000016
【図１５】
2010057568.tif 000017